(57)【要約】【課題】小型のディスクカートリッジにおいて、組立性および分解性に優れたものとするとともに、組立環境を汚染したりデータの読み書きに悪影響を与えたりする塵埃を発生させることなく組立ができるようにする。【解決手段】ディスクカートリッジ１０は、フレーム１２と、このフレーム１２を挟んでフレーム１２の両側に配置された上下シェル１３、１４と、開口１９を開閉するロータリーシャッタ１７とを有する。ハウジング１５を構成する上下シェル１３、１４の端部には、保持部材１６が、上下シェル１３、１４の縁部を両側から挟むように取り付けられる。【選択図】　　　　　図１
2004127375.tif 000002
【特許請求の範囲】
【請求項１】
各々の主面が互いに対向するように配置された２つのシェル半体から構成される扁平なハウジングと、該ハウジング内に回転自在に収容されるディスク型記録媒体とを備え、前記ハウジングがディスクドライブの記録再生ヘッドを前記記録媒体の表面にアクセスさせるための開口を有するディスクカートリッジにおいて、
前記両シェル半体の各々の前記主面に沿って延在する保持部材を設け、該保持部材により前記両シェル半体が前記主面を挟持されて互いに固定されていることを特徴とするディスクカートリッジ。
【請求項２】
前記保持部材が、前記ハウジングに装着されたときに、前記各主面に延在する主面接触部と、該両主面接触部を前記ハウジングの外側で連結する連結部とを有することを特徴とする請求項１記載のディスクカートリッジ。
【請求項３】
前記保持部材が、前記両シェル半体の前記主面の両縁部に沿って配置されているとともに、対向する該両縁部の少なくとも一部を受容して該両縁部を挟持する縁部受容溝を有していることを特徴とする請求項１記載のディスクカートリッジ。
【請求項４】
前記保持部材が、前記両シェル半体を、該両シェル半体の外面から緊縛する弾性バンドであることを特徴とする請求項１記載のディスクカートリッジ。
【発明の詳細な説明】
【０００１】
【発明の属する技術分野】
本発明は、２つのシェル半体によって構成された扁平なハウジング内に、例えば、直径５０．８ｍｍ（２インチ）以下のディスク型記録媒体を回転自在に収容してなる小形ディスクカートリッジに関し、特にハウジングの組立構造に関するものである。
【０００２】
【従来の技術】
従来より、デジタルカメラ等のモバイル機器においては、記録媒体として例えば、図６及び図７に概略的に示すような「ｃｌｉｋ！（登録商標）」と呼ばれる超小型の磁気ディスクカートリッジが使用されている。（例えば、非特許文献１参照。）このディスクカートリッジ１は、ノート型パーソナルコンピュータに使用されるタイプＩＩＰＣカード型のｃｌｉｋ！（登録商標）ドライブ（図示せず）に装填することもできる。このｃｌｉｋ！（登録商標）ドライブは、幅５３ｍｍ、奥行き８５ｍｍ、厚さ５ｍｍの寸法を有しており、ｃｌｉｋ！（登録商標）ディスクを装填した状態で、ノート型パーソナルコンピュータのＰＣカードスロットに装着して、ｃｌｉｋ！（登録商標）ディスクの読み書きを行うことが可能となっている。
【０００３】
図６は、この従来の磁気ディスクカートリッジ１の斜視図を示し、図７は、上シェルを取り除いた、図６の磁気ディスクカートリッジ１の平面図である。この磁気ディスクカートリッジ１は、幅５０ｍｍ、奥行き５５ｍｍ、厚さ１．９５ｍｍの寸法を有している。この磁気ディスクカートリッジ１は、樹脂製のフレーム２と、金属素材（厚さ０．２ｍｍのステンレス鋼板）からなる上シェル（シェル半体）３、下シェル（シェル半体）４とによって構成されたハウジング５と、このハウジング５内に回転自在に収容された４０ＭＢの記憶容量を有する直径４５．７ｍｍ（１．８インチ）の磁気ディスク（ディスク型磁気記録媒体）９（図７）とを有する。
【０００４】
上記ハウジング５は、このディスクカートリッジ１が装填されるディスクドライブ（図示せず）が備えている磁気ヘッドを磁気ディスク９の表面にアクセスさせるための開口６と、この開口６を開閉するロータリーシャッタ７とを備えている。図７に示すように、ロータリーシャッタ７は、その外周部に支持部材７ｄを有しており、フレーム２の端部に突出した部位２ｂとの間に配置された圧縮コイルばね１１により常時矢印１２方向に付勢されている。上下シェル３、４は、それらの側壁の縁部をつき合わせて、１０箇所以上の部位Ｐ（図６）でレーザー溶接されて組み立てられている。
【０００５】
パーソナルコンピュータに使用した場合、このディスクカートリッジ１がディスクドライブに装填されると、ロータリーシャッタ７がディスクドライブ中で自動的に拡開され、ディスクドライブの読み出しヘッド（図示せず）が磁気ディスク９上に移動してデータの読み書きがなされるが、ここでは、その態様の詳細な説明は省略する。
【０００６】
上記のｃｌｉｋ！（登録商標）型のディスクカートリッジ１の他にも、矩形の扁平な形状をしたタイプの磁気ディスクカートリッジがある（例えば、特許文献１参照。）。このタイプのディスクカートリッジ（図示せず）は、磁気ディスクメディアを収容した長方形の扁平なベースプレートの両面に金属製のカバープレートが配置され、カバープレート同士がスポット溶接されて組み立てられている。
【０００７】
また従来より、パーソナルコンピュータの記録媒体として８９ｍｍ（３．５インチ）のフロッピー（登録商標）ディスクを備えた磁気ディスクカートリッジが広く使用されているが、この型式のディスクカートリッジの場合、ハウジングは、樹脂製の上下シェルが超音波溶着されて組み立てられている。
【０００８】
【非特許文献１】
大島篤著「パソコン解体新書」、ソフトバンクパブリッシング株式会社、２０００年４月１０日発行（Ｐ５２−５３）
【０００９】
【特許文献１】
特開２００１−２４３７３６号公報（第４−５頁、図３）
【００１０】
【発明が解決しようとする課題】
しかしながら、上述のような従来のディスクカートリッジにおけるハウジングの組立構造は、下記の３点で問題があった。
（１）　組立作業上の問題点：
レーザー溶接機あるいは超音波溶着機のような高価な特殊機械を使用しなければ組立できなかった。
（２）　塵埃発生の問題点：
溶接または溶着時にべーパーやスパッタ屑が発生し、この微細な屑が記録媒体上に付着して、データの読み書きに悪影響を及ぼす。また、組立スペースが汚染される（組立スペースはクラス１００〜１０００のクリーン度が必要）。
（３）　分解性上の問題点：
リサイクルまたは分別廃棄のための分解時に、溶接または溶着部分を破壊しなければならず、非常に手間がかかり、かつ分解により上下シェルともに破壊されてしまうので、上下シェルの再利用が不可能である。
【００１１】
そこで本発明は、レーザー溶接機あるいは超音波溶着機のような高価な特殊機械を使用しなくとも組立ができ、組立時に微細な屑が記録媒体上に付着して、データの読み書きに悪影響を及ぼしたりすることなく、また、廃棄時に上下シェル（ハウジング）の分解が容易な上下シェルの組立構造を有するディスクカートリッジを提供することを目的とするものである。
【００１２】
【課題を解決するための手段】
本発明のディスクカートリッジは、各々の主面が互いに対向するように配置された２つのシェル半体から構成される扁平なハウジングと、このハウジング内に回転自在に収容されるディスク型記録媒体とを備え、ハウジングがディスクドライブの記録再生ヘッドを記録媒体の表面にアクセスさせるための開口を有するディスクカートリッジにおいて、両シェル半体の各々の外面に沿って延在する保持部材を設け、この保持部材により両シェル半体が外面を挟持されて互いに固定されていることを特徴とするものである。
【００１３】
また、上記保持部材は、ハウジングに装着されたときに、各主面に延在する主面接触部と、両主面接触部をハウジングの外側で連結する連結部とを有するように構成することができる。
【００１４】
本発明の一つの態様によれば、保持部材は、両シェル半体の主面の両縁部に沿って配置されているとともに、対向する両縁部の少なくとも一部を受容して両縁部を挟持する縁部受容溝を有するよう構成することができる。
【００１５】
また、保持部材は、両シェル半体を、両シェル半体の外面から緊縛する弾性バンドとしてもよい。また、この弾性バンドは、両シェル半体の両側縁に被冠される袋状弾性体としてもよい。
【００１６】
本発明の他の態様によれば、保持部材は、両シェル半体を、両シェル半体の外面から緊縛する熱収縮フィルムとすることができる。
【００１７】
【発明の効果】
本発明のディスクカートリッジによれば、各々の主面が互いに対向するように配置された１組のシェル半体を有する。そして、この両シェル半体の各々の主面に沿って延在する保持部材を設け、この保持部材により両シェル半体が主面を挟持されて互いに固定されているので次の効果を奏する。
【００１８】
即ち、レーザー溶接機のような高価な特殊機械を必要とせずにカートリッジを容易に組み立てることができる。また、組立環境を汚染しかつデータの読み書きに悪影響を与える虞れがあるべーパーやスパッタ屑が組み立て時に発生することもない。さらに、上下シェルが容易に分離できるので、分別廃棄またはリサイクル時の分解が容易で、上下シェルの再利用も可能である。
【００１９】
また、保持部材が、ハウジングに装着されたときに、各主面に延在する主面接触部と、両主面接触部をハウジングの外側で連結する連結部とを有するよう構成されている場合は、組立が容易であり、塵埃がハウジング内に進入する虞もない。さらに、保持部材がハウジングの外側部分のみにあるので、容易に取外しができ、分解が容易である。
【００２０】
また、保持部材が、両シェル半体の主面の両縁部に沿って配置され、シェルの対向する両縁部の少なくとも一部を受容して両縁部を挟持する縁部受容溝を有するよう構成されている場合は、組立が容易であり、塵埃がハウジング内に進入する虞もない。さらに、保持部材がハウジングの外側部分のみにあるので、容易に取外しができ、分解が容易である。
【００２１】
また、保持部材が、両シェル半体を、両シェル半体の外面から緊縛する弾性バンドである場合も、組立が容易であり、組立による塵埃が発生することもなく、また、分解も容易である。また、この弾性バンドが衝撃緩和材として機能することもできる。
【００２２】
【発明の実施の形態】
以下、本発明の好ましい実施の形態について、添付図面を参照して詳細に説明する。図１は、本発明によるディスクカートリッジの第１の実施の形態の斜視図である。
【００２３】
図１に示すディスクカートリッジ１０は、樹脂製のフレーム１２と、このフレーム１２を挟んで上下方向から被せられる上シェル（シェル半体）１３、下シェル（シェル半体）１４、および上下シェル１３、１４間に配置された、開口１９を開閉するロータリーシャッタ１７とによって構成されている。上シェル１３及び下シェル１４は、夫々主面２０、２１を有する。これら金属板からなる上下シェル１３、１４により扁平なハウジング１５が構成される。上下シェル１３、１４の材質は、入手容易性および強度の点から、厚さ０．１５〜０．２ｍｍ、好ましくは０．２ｍｍのステンレス鋼板がよい。
【００２４】
フレーム１２の形状は、図６及び図７に示したフレーム２の形状と若干異なるが、これについては後述する。このディスクカートリッジ１０が従来のディスクカートリッジ１と最も大きく異なる点は、上下シェル１３、１４の組立構造である。即ち、本発明では、上下シェル１３、１４の縁部が、溶接、溶着ではなく、その縁部に沿って延在する保持部材１６ａ、１６ｂ、１６ｃによって互いに固定されている点である。なお、保持部材１６ａ、１６ｂ、１６ｃを総括して保持部材１６という。
【００２５】
保持部材１６は、本実施形態では４つ設けられている。これらの保持部材１６のうち、保持部材１６ａは、図１において、上下シェル１３、１４の右側の直線及び曲線からなる縁部に沿った形状をしており、保持部材１６ｂは、上下シェル１３、１４の左側の直線形状に沿った直線状を呈している。また、２つの保持部材１６ｃ、１６ｃは、上下シェル１３、１４の手前の２つの舌部１８、１８の幅と略同じ長さの、上下シェル１３、１４の縁部に沿った短い直線状を呈している。これらの保持部材１６は、ゴム等の弾性材料から形成されるのが好ましい。
【００２６】
次に、図２を参照して、保持部材１６と上下シェル１３、１４の組立構造について説明する。図２は、図１のディスクカートリッジ１０に使用される保持部材１６の構造を示し、図２（ａ）は、保持部材１６ａを部分的に示す拡大斜視図であり、図２（ｂ）は、図１の２ｂ−２ｂ線に沿う、上下シェル１３、１４の要部拡大断面図である。保持部材１６ａは、図２（ａ）に示すように内側即ちシェル１３、１４側に向いて、上下シェル１３、１４の縁部を受容する縁部受容溝２２ａを有している。この縁部受容溝２２ａは、他の保持部材１６ｂ、１６ｃも同様に有している。縁部受容溝２２ａは、対向する壁（主面接触部）２４ａ、２６ａと、これらの主面接触部２４ａ、２６ａをハウジング１５の外側で連結する壁（連結部）２７ａから構成される。なお、保持部材１６ａ、１６ｂ、１６ｃの夫々の壁（主面接触部）と壁（連結部）を総括して、夫々、壁２４、２６および壁（連結部）２７という。保持部材１６ｂについては、保持部材１６ａと同様構成なので、詳細な説明は省略する。
【００２７】
また、上下シェル１３、１４の主面２０、２１の縁部には、図２（ｂ）に示すように、夫々段部２０ａ、２１ａが形成されており、縁部の最外部は互いに当接するようになっている。段部２０ａ、２１ａの図２（ｂ）における上下方向の間隔ｈは、保持部材１６ｃの縁部受容溝２２に受容される寸法となっている。この寸法関係は、他の保持部材１６ａ、１６ｂでも同じである。図２（ｂ）に示すように、保持部材１６ｃを上下シェル１３、１４の縁部に形成された段部２０ａ、２１ａにはめ込むと、上下シェル１３、１４の主面２０、２１の縁部が、連結部２７ｃにより連結された壁（主面接触部）２４ｃ、２６ｃにより挟持され、互いに離隔するのが阻止される。これにより上下シェル１３、１４が互いに固定される。
【００２８】
この実施形態の上下シェル１３、１４の縁部に対応するフレーム１２の端縁部には、前述の従来のディスクカートリッジ１とは異なり、上下シェル１３、１４の内面形状と相補的な段部１３ａ、１３ｂが形成されている。しかし、フレーム１２の端縁部の形状は、相補的な形状に限定されるものではなく任意の形状としてもよい。
【００２９】
縁部受容溝２２と上下シェル１３、１４の縁部との固定は、例えば、縁部受容溝２２内に貼付された図示しない両面テープ、或いは縁部受容溝２２および／または上下シェル１３、１４の縁部に塗布された粘着剤による接着によりなされる。従って、溶接機等の特殊な装置を使用しなくとも組立ができ、また組み立て時に磁気ディスク９に有害な、ベーパーやスパッタ屑が発生することもない。また、分解して材料別に分別する際にも、容易に分解することができる。
【００３０】
次に、粘着剤や、両面テープを使用しない、保持部材１６の変形例について、図３を参照して説明する。図３は、変形例の保持部材３６を示し、図３（ａ）は、図２（ａ）に対応する保持部材３６の部分拡大斜視図、図３（ｂ）は図３（ａ）において、矢印３ｂから見た側面図、図３（ｃ）は図２（ｂ）に対応する上下シェル１３、１４の固定構造を示す要部拡大断面図である。
【００３１】
保持部材３６は、壁（連結部）３８により連結された互いに対向する壁（主面接触部）３７から構成され、壁３７の内面３３、３３に立設された複数の係止突起３４を有する。これらの係止突起３４は、中間が大径の紡錘形形状を呈している。或いは、円錐形を２つ合わせた形状を呈している。これらの複数の係止突起３４は、保持部材３６の壁３７と一体に、且つ保持部材３６の長手方向に沿って互い違いに形成されている（図３（ｂ））。
【００３２】
この保持部材３６が、縁部受容溝３２内に上下シェル１３、１４の縁部を受容して取り付けられると、図３（ｃ）に示す構成となる。即ち、上下シェル１３、１４の段部２０ａ、２１ａには、係止突起３４に対応して小孔（図示せず）が穿設されており、係止突起３４はこの小孔に係入される。これにより、保持部材３６が上下シェル１３、１４の縁部に固定されるとともに、上下シェル１３、１４が互いに固定される。保持部材３６の取付に際しては、保持部材３６が弾性を有しているので、両壁３７、３７を広げて上下シェル１３、１４の縁部に被せるように取り付けられる。或いは、保持部材３６の弾性が大きくないときは、縁部の外周面に係止突起３４が通過するスロット（図示せず）を設けて、係止突起３４がこのスロットを通過するように、保持部材３６をハウジングの横方向外側から縁部に装着してもよい。
【００３３】
この変形例においても、組み立て時には、ベーパーやスパッタ屑が生じることもなく、分解時には保持部材３６を引き剥がすことにより、容易に分解することができる。
【００３４】
次に本発明の第２の実施形態について、図４を参照して説明する。図４は、第２の実施形態のディスクカートリッジ５０の斜視図である。このディスクカートリッジ５０は、前述の従来例（特開２００１−２４３７３６号公報）に開示されたディスクカートリッジと同様な構成を有するものであるので、ここでは、詳細な説明は省略して、概略のみ説明する。このディスクカートリッジ５０は、図示しない板状のベースプレートの両面に配置された長方形の上シェル（シェル半体）５３、下シェル（シェル半体）５４から構成される扁平なハウジング５５を有する。磁気ディスク（ディスク型記録媒体）５９は、この両上下シェル５３、５４間に、回転自在に配置されている。また、シャッタ５７が上シェル５３に形成された矩形窓（開口）６２を開閉するように配置されている。
【００３５】
このディスクカートリッジ５０が従来のディスクカートリッジと異なる点は、ゴムバンド（弾性バンド）５６（保持部材）によって上下シェル５３、５４を固定している点である。上下シェル５３、５４の夫々の主面６３、６４には、互いに整合した位置に浅い２本の溝６０が、ディスクカートリッジ５０の挿抜方向５８に沿って形成されている。この２本の溝６０は、平行、且つハウジング５５の両面を通って１周するように連続して形成されている。この溝６０には、ディスクカートリッジ５０から離隔して示すゴムバンド５６が取り付けられる。
【００３６】
ゴムバンド５６の長さ即ち周囲長は、ハウジング５５を取り巻く溝６０の外周より短いので、ゴムバンド５６を装着すると、上下シェル５３、５４は互いの方向に押圧されて固定される。図４では、左側の溝６０にゴムバンド５６を装着した状態を示す。このとき、ゴムバンド５６が上下シェル５３、５４、即ちハウジング５５の主面６３、６４に接触する部分が主面接触部６５、６６となり、これらの主面接触部６５、６６を連結する部分が連結部６７、６７となる。
【００３７】
溝６０の深さは、ゴムバンド５６がハウジング５５の表面から突出して、挿抜時に邪魔にならないようにゴムバンド５６の厚さより深く設定されるが、挿抜時に邪魔にならない限り、積極的にハウジング５５から突出させるように設定してもよい。ゴムバンド５６が、シェル５３、５４の外面から突出するように設定した場合は、ディスクカートリッジ５０を誤って落下させた場合に、ゴムバンド５６により落下の衝撃を吸収して衝撃を緩衝することができる。即ち、保持部材としてのゴムバンド５６を緩衝部材として使用することができる。
【００３８】
次に、本発明の第２の実施形態の変形例について、図５を参照して説明する。図５は、変形例のディスクカートリッジの斜視図であり、ゴムバンドを分離して示す。このディスクカートリッジ７０は前述のディスクカートリッジ５０と、基本的な構造は同様であるが、ハウジング７５を構成する上下シェル７３、７４の固定構造が異なる。即ちディスクカートリッジ７０においては、溝６０の代わりに両シェル７３、７４の主面７７、７８の側縁の外周に沿って段部７１が形成され、シェル７３、７４の側縁より短い長さの長い開口７６ａを有する袋状の弾性バンド（保持部材）７６が被着される。この場合も、ハウジング７５の主面７７、７８に接触する部分が主面接触部７９、８０となり、それらを連結する部分が連結部８１となる。袋状のゴムバンド７６の場合、ディスクカートリッジ７０の側面外周に対応する部分が連結部となる。
【００３９】
ゴムバンド７６は、ディスクカートリッジ７０の端部に位置するので、衝撃に対して一層効果的に機能する。この固定構造も、組み立て時に特殊な機械を使用する必要がなく、塵埃も発生しない、また、ディスクカートリッジ７０の分解も容易である。
【００４０】
また、保持部材の第３の実施形態として、ゴムバンド５６の代わりに、ポリオレフィン系、ポリエステル系、ナイロン系等の帯状の熱収縮フィルム（図示せず）を使用し、また、ゴムバンド７６の代わりに袋状の熱収縮フィルム（図示せず）を使用してもよい。この場合は、帯状或いは環状に形成した熱収縮フィルムを溝６０に配置し、熱風等により加熱して収縮させて両シェル５３、５４を互いに固定する。溝６０は、組立時にこれらのゴムバンド５６や熱収縮フィルムの位置決めとしても機能する。また、溝６０の数、即ち保持部材の本数は２本に限定されるものではなく３本以上の任意の数としてもよい。この固定構造も組立容易であり、組み立て時に塵埃が発生することもなく、分解も簡単である。
【００４１】
以上、本発明の実施形態について詳細に説明したが、本発明のディスクカートリッジに使用される保持部材の材料として、例えば東レ・デュポン社が製造、販売している「ハイトレル（Ｒ）」として知られる熱可塑性ポリエステルエラストマが好ましい。この理由は、強度、耐久性、耐衝撃性、成形加工性等の点が優れていることによる。また、適度な弾力性があり、ディスクカートリッジを誤って落下させたときに、落下の衝撃を吸収してディスクカートリッジのダメージを低減することができるためである。
【００４２】
以上説明した本発明の実施の形態は、いずれも特殊な装置を使用したりせず、組立性および分解性に優れ、かつ組立環境を汚染したりデータの読み書きに悪影響を与える塵埃の発生する虞れがないこと明らかである。
【図面の簡単な説明】
【図１】本発明によるディスクカートリッジの第１の実施の形態の斜視図
【図２】図１のディスクカートリッジに使用される保持部材の構造を示し、（ａ）は、保持部材を部分的に示す拡大斜視図であり、（ｂ）は、図１の２ｂ−２ｂ線に沿う上下シェルの要部拡大断面図である。
【図３】図２に示す保持部材の変形例を示し、（ａ）は、図２（ａ）に対応する保持部材の部分拡大斜視図、（ｂ）は図３（ａ）の矢印３ｂから見た側面図、（ｃ）は図２（ｂ）に対応する上下シェル１３、１４の固定構造を示す要部拡大断面図である。
【図４】本発明の第２の実施形態のディスクカートリッジの斜視図であり、保持部材を分離して示す。
【図５】本発明の第２の実施形態の変形例のディスクカートリッジの斜視図であり、保持部材を分離して示す。
【図６】従来の磁気ディスクカートリッジの斜視図
【図７】上シェルを取り除いた、図６の磁気ディスクカートリッジの平面図
【符号の説明】
１０、５０、７０　　磁気ディスクカートリッジ
１３、１４、５３、５４、７３、７４　　シェル半体
１５、５５、７５　　ハウジング
１６、３６、５６、７６　　保持部材
１９、６２　　開口
２０、２１、６３、６４、７７、７８　　主面
２２（２２ａ、２２ｃ）、３２　　縁部受容溝
２４（２４ａ、２４ｃ）、２６（２６ａ、２６ｃ）、３７、６５、６６、７９、８０　　壁（主面接触部）
２７（２７ａ、２７ｃ）、３８、６７、８１　　連結部
５６、７６　　弾性バンド
５９　　ディスク型記録媒体
【図１】
2004127375.tif 000003
【図２】
2004127375.tif 000004
【図３】
2004127375.tif 000005
【図４】
2004127375.tif 000006
【図５】
2004127375.tif 000007
【図６】
2004127375.tif 000008
【図７】
2004127375.tif 000009